(57)【要約】【課題】  パネルまたは障子と網戸とを備えた開口部装置において、網戸の開閉操作の労力を省くことができる開口部装置を提供する。【解決手段】  互いに対向して設置された一対のガイドレールに沿って摺動自在に設けられ、全閉時には建築物の開口部を閉塞し、全開時には収納部に収納されるパネル３と、このパネル３の戸先側の端部に連結され、パネル３が収納部に収納されるに伴って開口部を閉塞し、パネル３が開口部を閉塞するに伴って網戸収納部に収納される網戸４とを備え、パネル３の戸先側の端部に係合部４２が設けられるとともに、網戸４の先端部に網戸側係合部５１が設けられ、パネル３が網戸４に接近して行くと、係合部４２と網戸側係合部５１とが係合し、パネル３と網戸４とが連結される。【選択図】      図８
2005344322.tif 000002
【特許請求の範囲】
【請求項１】
互いに対向して設置された一対のガイドレールに沿って摺動自在に設けられ、全閉時には建築物の開口部を閉塞し、全開時には収納部に収納されるパネルまたは障子と、このパネルまたは障子の戸先側の端部に連結され、前記パネルまたは障子が前記収納部に収納されるに伴って前記開口部を閉塞し、前記パネルまたは障子が前記開口部を閉塞するに伴って網戸収納部に収納される網戸とを備え、
前記パネルまたは障子の戸先側の端部に係合部が設けられるとともに、前記網戸の先端部に網戸側係合部が設けられ、前記パネルまたは障子が前記網戸に接近して行くと、前記係合部と前記網戸側係合部とが係合し、前記パネルまたは障子と前記網戸とが連結されることを特徴とする開口部装置。
【請求項２】
前記係合部および前記網戸側係合部の一方の係合部が他方の係合部に対し進退可能にかつ他方の係合部に向かって付勢部材により付勢されて設けられ、前記パネルまたは障子が前記網戸に接近して行くと、他方の係合部が一方の係合部に当接して、前記付勢部材の付勢力に抗して一方の係合部が他方の係合部に対して後退し、他方の係合部が一方の係合部を越えた後に、一方の係合部が前記付勢部材の付勢力により他方の係合部に向かって前進して、一方の係合部と他方の係合部とが係合し、前記パネルまたは障子と前記網戸とが連結されることを特徴とする請求項１に記載の開口部装置。
【発明の詳細な説明】
【技術分野】
【０００１】
本発明は、パネルまたは障子と網戸とを備えた開口部装置に関する。
【背景技術】
【０００２】
従来、玄関等のドア用小窓を開閉可能にすることにより、防犯効果を保ちつつ、採光または通風を可能にするドア用小窓の開閉装置が知られている。そして、このようなドア用小窓の開閉装置として、ドアの開口部を摺動自在に開閉するドア板、ガラス板および網戸をそれぞれ、これらを保持する保持部（サッシ枠）に沿って、駆動装置により、別々に開閉させるものが提案されている。（例えば、特許文献１参照）。
【０００３】
【特許文献１】特開平９−３２４１９号公報
【発明の開示】
【発明が解決しようとする課題】
【０００４】
しかしながら、この従来の開口部装置にあっては、駆動装置がドア板、ガラス板および網戸を別々に開閉させるので、開閉操作を別々に行う必要があり、開閉操作が煩雑であるという問題がある。
【０００５】
本発明は、上記事情に鑑みて為されたもので、パネルまたは障子と網戸とを備えた開口部装置において、網戸の開閉操作の労力を省くことができる開口部装置を提供することを目的とする。
【課題を解決するための手段】
【０００６】
前記目的を達成するために、請求項１に記載の開口部装置は、互いに対向して設置された一対のガイドレールに沿って摺動自在に設けられ、全閉時には建築物の開口部を閉塞し、全開時には収納部に収納されるパネルまたは障子と、このパネルまたは障子の戸先側の端部に連結され、前記パネルまたは障子が前記収納部に収納されるに伴って前記開口部を閉塞し、前記パネルまたは障子が前記開口部を閉塞するに伴って網戸収納部に収納される網戸とを備え、前記パネルまたは障子の戸先側の端部に係合部が設けられるとともに、前記網戸の先端部に網戸側係合部が設けられ、前記パネルまたは障子が前記網戸に接近して行くと、前記係合部と前記網戸側係合部とが係合し、前記パネルまたは障子と前記網戸とが連結されることを特徴とする。
【０００７】
請求項２に記載の開口部装置は、請求項１に記載の発明において、前記係合部および前記網戸側係合部の一方の係合部が他方の係合部に対し進退可能にかつ他方の係合部に向かって付勢部材により付勢されて設けられ、前記パネルまたは障子が前記網戸に接近して行くと、他方の係合部が一方の係合部に当接して、前記付勢部材の付勢力に抗して一方の係合部が他方の係合部に対して後退し、他方の係合部が一方の係合部を越えた後に、一方の係合部が前記付勢部材の付勢力により他方の係合部に向かって前進して、一方の係合部と他方の係合部とが係合し、前記パネルまたは障子と前記網戸とが連結されることを特徴とする。
【発明の効果】
【０００８】
請求項１および請求項２に記載の開口部装置によれば、網戸がパネルまたは障子の戸先側の端部に連結され、パネルまたは障子が収納部に収納されるに伴って開口部を閉塞し、パネルまたは障子が開口部を閉塞するに伴って網戸収納部に収納されるので、網戸の開閉操作を自動的に行うことができ、開閉操作の労力を省くことができる。さらに、パネルまたは障子を網戸に接近させて行くと、係合部と網戸側係合部とが係合し、これによりパネルまたは障子と網戸とが連結されるので、パネルまたは障子と網戸とを自動的に連結させることができる。したがって、ガラスパネルおよび網戸の開閉操作をモータ等を用いて自動化することができる。
【発明を実施するための最良の形態】
【０００９】
以下、本発明の実施の形態を図面を参照して説明する。
図１乃至図９は、本発明の第１の実施の形態に係る開口部装置を示す図であって、図１は室外側から見た斜視図、図２は縦断面図、図３は横断面図、図４は図３の要部の拡大図、図５はガラスパネルおよび網戸の部分の縦断面図、図６は図５の要部の拡大図、図７はガラスパネルおよび網戸の部分の横断面図、図８はガラスパネルと網戸との取付部を室内側から見た図、図９はガラスパネルと網戸との取付部の側面図である。
【００１０】
本実施の形態の開口部装置は、建築物の躯体１の開口部（窓）２の外側に設置される外付けタイプの開口部装置であって、開口部２を開閉するガラスパネル（パネル）３と、このガラスパネル３の戸先側の端部に取り付けられた網戸４と、これらのガラスパネル３および網戸４の外側に設けられた面格子５と、ガラスパネル３、網戸４および面格子５を収納しているサッシ枠６とを備えている。
【００１１】
サッシ枠６は、躯体１の外側に開口部２を囲むように設置されている。このサッシ枠６は、アルミニウム合金からなる上枠１１、左右の縦枠１２、１２と下枠１３とを備えている。サッシ枠６の上部には、室外側額縁１５が設けられている。この室内側額縁１５は、開口部２を形成している額縁１６と室内外方向に連続するように形成されており、これにより室内外を連通する窓空間が形成される。窓空間以外の開口部装置の前面は、カバー１８により覆われている。
サッシ枠６の下枠１３の室外側には、室外側が低くなるような傾斜が形成され、さらに室外側の隅部に、室外に連通する排水口が形成されており、これによりガラスパネル３の箇所を通して進入した雨水を室外に排水して、室内への漏水を防止している。
【００１２】
ガラスパネル３は、框がないガラスのみからなるものである。このガラスパネル３の両側端部はそれぞれ、室外側額縁１５の左右の縦額縁２０の隙間に挿入されており、縦額縁２０の外側に位置するガラスパネル３の両端部にはそれぞれ、ガラス受け金具２１が取り付けられ、各ガラス受け金具２１にはそれぞれ、上下方向に連続的に延びるガイド２２が固定されている。一方、各縦額縁２０と各縦枠１２との間にはそれぞれ、室外側額縁１５の上額縁２３の少し下側の高さ位置から室外側額縁１５の下額縁２４よりずっと下側の高さ位置まで、ガイドレール２５が上下方向に連続して長く延びている。各ガイド２２の先端部は、ガイドレール２５のガイド部２６内に挿入されており、これによりガイド２２がガイド部２６に案内されて、ガラスパネル３が上下移動し、全閉時には、開口部２の室外側を閉塞し、全開時には、室外側額縁１５の下額縁２４の下側の収納部２８に収納されるようになっている。
【００１３】
網戸４は、ロール網戸であって、その下端部（先端部）がガラスパネル３の上端部（戸先側の端部）に連結されている。また、室内側額縁１５の上額縁２３の上側には、ガラスパネル３の上方の位置に、網戸４を収納するケース（網戸収納部）３２が設けられ、このケース３２内に網戸４を巻き取る巻き取り部材３３が設置されている。また、網戸４の両側端部はそれぞれ、室外側額縁１５の左右の縦額縁２０の隙間に挿入されており、網戸４の両端にはそれぞれ、上下方向に連続的に延びるガイド３５が固定されている。一方、各縦額縁２０と各縦枠１２との間にはそれぞれ、室外側額縁１５の上額縁２３より少し上の高さ位置から室外側額縁１５の下額縁２４の高さ位置まで、ガイドレール３６が上下方向に連続して延びている。各ガイド３５は、ガイドレール３６のガイド部３７内に挿入されており、これによりガイド３５がガイド部３７に案内されて、網戸４が上下移動し、そしてガラスパネル３が上昇するに伴って、網戸４が巻き取り部材３３に巻き取られてケース１７内に収納され、他方ガラスパネル３が下降するのに伴って、網戸４が巻き取り部材３３から引き出されて開口部２の室外側を閉塞するようになっている。
【００１４】
ガラスパネル３と網戸４との連結構造は、次のように構成されている。
すなわち、ガラスパネル３の上側の両角部の室内側にはそれぞれ、上方に突出する係合部材４１が取り付けられている。この係合部材４１の上端部の外側（縦枠１２側）には、室内側に向かって直角に折り曲げられているとともに、外側に向かって下方に傾斜する係合部４２が設けられている。一方、網戸４の下端に固定された巾木４５の両端部にはそれぞれ、ばね（付勢部材）４６により内側（縦額縁２０側）に向かって付勢された網戸側係合部材４７が巾木４５に沿って移動可能に設けられている。
【００１５】
この網戸側係合部材４７の本体部４８は、巾木４５内を巾木４５に沿って延びており、内側の端部は縦額縁２０よりも内側に位置しており、この端部に穴４９が形成されている。この穴４９の部分の巾木４５の室内側には長穴５０が形成されており、棒などを長穴５０を通して穴４９に挿入し、網戸側係合部材４７をばね４６の付勢力に抗して外側に移動させることができるようになっている。穴４９に代えて、凹部としてもよい。本体部４８の外側の端部には、室内側に向かって突出するアングル状の係合部（網戸側係合部）５１が固定されている。この係合部５１の下側の下壁５２は水平に延び、下壁５２の外側の端部から起立壁５３が立ち上がっている。係合部５１は、巾木４５の室内側に形成された四角穴５４を通して巾木４５内から室内側に突出している。起立壁５３の外側には、巾木４５に沿って延びるボルト５４が取り付けられており、このボルト５４の先端部は、巾木４５に固定された支持部材５６の貫通孔に挿入されている。ばね４６は、ボルト５４の外側に挿入されて、起立壁５３と支持部材５６との間に収められており、これにより網戸側係合部材４７がばね４６により内側（縦額縁２０側）に向かって付勢されている。
【００１６】
ガラスパネル３が上昇して、ガラスパネル３が網戸４に接近して行くと、係合部材４１の係合部４２が網戸側係合部材４７の係合部５１の下壁５２に当接して、ばね４６の付勢力に抗して網戸側係合部材４７の係合部５１が係合部材４１の係合部４２に対し後退し、係合部材４１の係合部４２が網戸側係合部材４７の係合部５１の下壁５２を越える。その後、網戸側係合部材４７の係合部がばね４６により係合部材４１の係合部４２に向かって付勢されて係合部４２に向かって前進して、網戸側係合部材４７の係合部５１が係合部材４１の係合部４２に係合し、ガラスパネル３と網戸４とが連結される。
他方、棒などを係合部材４７の穴４９に挿入し、網戸側係合部材４７をばね４６の付勢力に抗して外側に移動させて、網戸側係合部材４７の係合部５１を係合部材４１の係合部４２から離した後、ガラスパネル３を下降させると、ガラスパネル３と網戸４との連結が解除される。
【００１７】
面格子５は、上下方向に間隔をおいて連設された複数個のパイプ（格子部材）６１からなるもので、室内側額縁１５の上額縁２３の上側に設置された巻き取り部材６２により巻き取られるようになっている。各パイプ６１の両側端部はそれぞれ、室外側額縁１５の左右の縦額縁２０の隙間に挿入されているとともに、各パイプ６１の両側端部にはそれぞれ金具６４が取り付けられており、各金具６４にはガイド６５が固定されている。一方、各縦額縁２０と各縦枠１２との間にはそれぞれ、巻き取り部材６２の下側の高さ位置から室外側額縁１５の下額縁２４の高さ位置まで、ガイドレール６７が上下方向に連続して延びている。各ガイド６５は、ガイドレール６７のガイド部６８内に挿入されており、これによりガイド６５がガイド部６８に案内されて、パイプ６１が上下移動し、パイプ６１が巻き取り部材６２に巻き取られてパイプ６１が室外側額縁１５の上額縁２３の上側に収納され、他方パイプ６１が巻き取り部材６２から引き出されて開口部２の室外側を閉塞するようになっている。
【００１８】
ガラスパネル３を上下移動させる駆動装置７０は、下枠１３上に設置され、正回転および逆回転可能なモータ７１と、このモータ７１により正回転および逆回転するプーリ７２と、このプーリ７２により移動する２本のタイミングベルト７３とにより構成されている。各タイミングベルト７３の一方の端部はそれぞれ、ガラスパネル３の両側の各ガラス受け金具２１に固定されており、モータ７１を正回転させてプーリ７２を正回転させることにより、各タイミングベルト７３がそれぞれ交差するように一方に移動して、ガラスパネル３を上昇させ、逆にモータ７１を逆回転させてプーリ７２を逆回転させることにより、各タイミングベルト７３がそれぞれ他方に移動して、ガラスパネル３を下降させるようになっている。
【００１９】
面格子５を開閉させる駆動装置８０は、巻き取り部材６２の上側に設置され、正回転および逆回転可能なモータ８１と、このモータ８１により正回転および逆回転するプーリ８２と、このプーリ８２により移動する２本のタイミングベルト８３とにより構成されている。各タイミングベルト８３の一方の端部はそれぞれ、最下端（最先端）のパイプ６１の両側の各金具６４に固定されており、モータ８１を正回転させてプーリ８２を正回転させることにより、各タイミングベルト８３がそれぞれ交差するように一方に移動して、パイプ６１を上昇させ、逆にモータ８１を逆回転させてプーリ８２を逆回転させることにより、各タイミングベルト８３がそれぞれ他方に移動して、パイプ６１を下降させるようになっている。
【００２０】
この開口部装置にあっては、網戸４がガラスパネル３の戸先側の端部に連結され、ガラスパネル３が収納部２８に収納されるに伴って開口部２を閉塞し、ガラスパネル３が開口部２を閉塞するに伴ってケース３２内に収納されるので、網戸４の開閉操作を自動的に行うことができ、開閉操作の労力を省くことができる。また、網戸４とガラスパネル３とを分離して、網戸４およびガラスパネル３をそれぞれケース３２および収納部２８に収納し、開口部２を完全に開放した状態にすることができる。さらに、この全開放状態のときに、ガラスパネル３を上昇させて網戸４に接近させて行くことにより、網戸側係合部材４７の係合部５１を係合部材４１の係合部４２に係合させることができ、ガラスパネル３と網戸４とを自動的に連結させることができる。したがって、ガラスパネル３の上下動をモータ７１等を用いて電動化することができる。このため、開口部装置が手の届き難い場所、例えば台所の流しの向う側などに設置されている場合でも、ガラスパネル３および網戸４の開閉を容易に行うことができる。
【００２１】
また、網戸４にロール網戸を用いているので、網戸４をコンパクトに躯体１内に収納することができる。また、網戸４を屈曲させて縮めて開口部２の隅に収納する場合などに比べて見栄えが良い。
さらに、面格子５も電動により上下動させるようにしたので、開口部装置が手の届き難い場所に設置されていても、面格子５の開閉も容易に行うことができる。
【００２２】
なお、上述の実施の形態では、ガラスパネル３に係合部材４１を設け、網戸４に係合部材４７を設けたが、これとは逆にガラスパネル３に係合部材４７を設け、網戸４に係合部材４２を設けるようにしてもよい。
【００２３】
図１０は、本発明の第２の実施の形態に係る開口部装置を示す縦断面図である。
本実施の形態では、ガラスパネル３と網戸４との連結構造は、次のように構成されている。
すなわち、ガラスパネル３の上端部には、磁石ケース９１が取り付けられており、この磁石ケース９１に磁石（係合部）９２が設けられている。一方、網戸４の下端に固定された巾木４５Ａの下端部には、鉄板（網戸側係合部）９３が取り付けられている。その他の構成は第１の実施の形態と同様である。
【００２４】
ガラスパネル３が上昇して、ガラスパネル３が網戸４に接近して行くと、磁石９２と鉄板９３とが互いに引き合い、ガラスパネル３と網戸４とが連結される。
他方、磁石９２の吸引力に抗して、網戸４とガラスパネル４とを引き離すと、ガラスパネル３と網戸４との連結が解除される。
この開口部装置にあっても、第１の実施の形態と同様の効果を得ることができる。
【００２５】
なお、上述の実施の形態では、ガラスパネル３に磁石９２を設け、網戸４に鉄板９３を設けたが、これとは逆にガラスパネル３に鉄板９３を設け、網戸４に磁石９２を設けるようにしてもよい。また、鉄板９３に代えて、磁性材料からなる他の部材を用いるようにしてもよい。
【００２６】
図１１は、本発明の第３の実施の形態に係る開口部装置を示す縦断面図である。
本実施の形態では、ガラスパネル３と網戸４との連結構造は、次のように構成されている。
すなわち、ガラスパネル３の上端部には、フック（係合部）９５が取り付けられ、一方網戸４の下端に固定された巾木４５Ｂの下端部には、フック（網戸側係合部）９６が取り付けられている。これらのフック９５、９６は、先端部が略４５°の角度で折り返された鉤状に形成されている。その他の構成は第１の実施の形態と同様である。
【００２７】
ガラスパネル３が上昇して、ガラスパネル３が網戸４に接近して行くと、フック９５の先端部がフック９６の先端部を乗り越え、フック９５とフック９６とが互いに係合され、ガラスパネル３と網戸４とが連結される。
他方、フック９５とフック９６との係合を外すと、ガラスパネル３と網戸４との連結が解除される。
この開口部装置にあっても、第１の実施の形態と同様の効果を得ることができる。
【００２８】
なお、上述の各実施の形態では、ガラスパネル３を開口部２の下側に収納し、網戸４を上側に収納するようにしたが、これに代えて、ガラスパネル３を開口部２の上側に収納し、網戸４を下側に収納するようにしてもよい。さらには、上述の各実施の形態では、ガラスパネル３および網戸４を縦方向に移動させたが、例えば横方向などの他の方向に移動させるようにしてもよい。
【００２９】
また、上述の各実施の形態では、ガラスパネル３を用いたが、本発明では、これに代えて、面材等の他のパネルを用いることもでき、さらには障子を用いることもできる。
また、上述の各実施の形態では、網戸４としてロール網戸を用いたが、これに代えて、折りたたみ網戸やその他の網戸を用いることもできる。
また、上述の各実施の形態では、外付けタイプの開口部装置について説明したが、本発明はこれに限らず、躯体１自体に設置される通常の開口部装置等にも適用することができる。
【図面の簡単な説明】
【００３０】
【図１】本発明の第１の実施の形態に係る開口部装置を示す図であって、室外側から見た斜視図である。
【図２】同、縦断面図である。
【図３】同、横断面図である。
【図４】図３の要部の拡大図である。
【図５】ガラスパネルおよび網戸の部分の縦断面図である。
【図６】図５の要部の拡大図である。
【図７】ガラスパネルおよび網戸の部分の横断面図である。
【図８】ガラスパネルと網戸との取付部を示す図であって、室内側から見た図である。
【図９】同、側面図である。
【図１０】本発明の第２の実施の形態に係る開口部装置を示す縦断面図である。
【図１１】本発明の第３の実施の形態に係る開口部装置を示す縦断面図である。
【符号の説明】
【００３１】
２      開口部
３      ガラスパネル（パネル）
４      網戸
２５    ガイドレール
２８    収納部
３２    ケース(網戸収納部)
４２    係合部
４６    ばね（付勢部材）
５１    係合部（網戸側係合部）
９２    磁石（係合部）
９３    鉄板（網戸側係合部）
９５    フック（係合部）
９６    フック（網戸側係合部）
【図１】
2005344322.tif 000003
【図２】
2005344322.tif 000004
【図３】
2005344322.tif 000005
【図４】
2005344322.tif 000006
【図５】
2005344322.tif 000007
【図６】
2005344322.tif 000008
【図７】
2005344322.tif 000009
【図８】
2005344322.tif 000010
【図９】
2005344322.tif 000011
【図１０】
2005344322.tif 000012
【図１１】
2005344322.tif 000013